(57)【要約】      （修正有）【課題】体内を消毒することができる簡易的な構造を有する消毒装置を提供する。【解決手段】消毒装置１は、人体に挿入される管２と、管２の一端と接続し管２を介して気体を供給する供給手段３と、を備える。管２は、供給手段３から供給される気体を管２の外部に送気する送気穴４と、紫外線を照射する紫外線照射手段５と、を備える。紫外線照射手段５は、管２の先端と、管２の内部と、管２の外部と、の少なくともいずれか１箇所に配置されている。送気穴４は、管２の内部から管２の表面に貫通して形成されている。消毒装置１は、管２と供給手段３とにより構成されるため、医療機器である内視鏡よりも簡易的な構造である。したがって、消毒装置１は、簡易的な構造であって、効率的に体内を消毒することができる。【選択図】図１
0003231158.tif 000002
【実用新案登録請求の範囲】
【請求項１】
人体に挿入される管と、前記管の一端と接続し前記管を介して気体を供給する供給手段と、を備え、
前記管は、
前記供給手段から供給される気体を前記管の外部に送気する送気穴と、
紫外線を照射する紫外線照射手段と、を備え、
前記送気穴は、
前記管の内部から前記管の表面に貫通して形成されていることを特徴とする消毒装置。
【請求項２】
請求項１に記載された消毒装置において、
前記管および前記供給手段は、互いを着脱可能に接続する接続手段を備えることを特徴とする消毒装置。
【考案の詳細な説明】
【技術分野】
【０００１】
本考案は、主に人体の呼吸器に挿入することで体内を消毒する消毒装置に関する。
【背景技術】
【０００２】
近年、新型コロナウイルス感染症（COVID-19）などの感染症が蔓延している。例えば、新型コロナウイルス感染症は、新種のコロナウイルスによって引き起こされる感染症であり、重症化する事例では、発症から1週間前後で咳や痰、呼吸困難など肺炎の症状が強くなるとされている。この感染症は、手指の消毒などをして体内へのウイルスの侵入を防ぐことで感染予防をすることができる。しかし、体内へウイルスが侵入し感染した場合、通常、体内を消毒することは非常に困難であると考えられる。そこで、体内の消毒のために内視鏡を用いることが考えられる。内視鏡は、人体に挿入することで体内の撮影や消毒を含む治療等をする装置である。例えば、特許文献１に記載の内視鏡は、探触子を有し、深触子の先端に光源を備える。内視鏡は、深触子の先端に光源を備えることで、目的に合う映像を撮影することができる。
【先行技術文献】
【特許文献】
【０００３】
【特許文献１】特開２０１７−１９６２６８号公報
【考案の概要】
【考案が解決しようとする課題】
【０００４】
しかしながら、内視鏡は、非常に高価な医療機器である。また、内視鏡は、複雑な構造を有するため故障防止のためのメンテナンス負担が生じる。このため、内視鏡を用いて体内を消毒するにはコストがかかるという問題がある。
【０００５】
本考案の目的は、体内を消毒することができる簡易的な構造を有する消毒装置を提供することである。
【課題を解決するための手段】
【０００６】
本考案の消毒装置は、人体に挿入される管と、管の一端と接続し管を介して気体を供給する供給手段と、を備える。管は、供給手段から供給される気体を管の外部に送気する送気穴と、紫外線を照射する紫外線照射手段と、を備える。送気穴は、管の内部から管の表面に貫通して形成されていることを特徴とする。
【０００７】
ここで、例えば高濃度の酸素や紫外線は、新型コロナウイルス感染症などの感染症を引き起こすウイルスに対して有効であるとされている。すなわち、体内に例えば高濃度の酸素の噴射や紫外線の照射をすることができれば、体内を消毒することができる。
【０００８】
本考案によれば、消毒装置は、人体に挿入される管と、管の一端と接続し管を介して気体を供給する供給手段と、を備えるため、供給手段から管を介して体内に例えば高濃度の酸素を供給することで、体内を消毒することができる。また、管は、紫外線照射手段を備えるため、紫外線の照射により体内を消毒することができる。消毒装置は、管と供給手段とにより構成されるため、医療機器である内視鏡よりも簡易的な構造である。したがって、消毒装置は、簡易的な構造であっても効率的に体内を消毒することができる。
【０００９】
この際、管および供給手段は、互いを着脱可能に接続する接続手段を備えることが好ましい。
【００１０】
ここで、本考案に用いられる管は、体内に挿入するため、使用後は都度、殺菌消毒が必要となる。しかし、感染症を引き起こすウイルスは視認できないため、完全に殺菌消毒をすることはできないことがある。また、供給手段と接続した状態のままでは、管の内部など殺菌消毒をすることができない部分が生じることがある。
【００１１】
しかしながら、このような構成によれば、管および供給手段は、接続手段を備えることで、使用後に供給手段から管を取り外すことができる。これにより、消毒装置は、管の内部を含めて殺菌消毒をすることができる。また、管および供給手段は、接続手段を備えることで、使用後に殺菌消毒された新たな管に簡単に交換することができる。このため、使用後に都度、殺菌消毒をしなくとも安全に体内の消毒をすることができる。
【図面の簡単な説明】
【００１２】
【図１】本考案の一実施形態に係る消毒装置を示す図
【図２】前記消毒装置の使用方法を示す図
【考案を実施するための形態】
【００１３】
以下、本考案の一実施形態を図面に基づいて説明する。
図１は、本考案の一実施形態に係る消毒装置１を示す図である。
図１に示すように、消毒装置１は、人体に挿入される管２と、管２の一端と接続し管２を介して気体を供給する供給手段３と、を備える。管２および供給手段３は、互いを着脱可能に接続する接続手段１０を備える。
【００１４】
管２は、供給手段３から供給される気体を管２の外部に送気する送気穴４と、紫外線を照射する紫外線照射手段５と、を備える。管２の供給手段３と接続される一端とは反対側の先端側は、口腔または鼻腔から気管や肺などの呼吸器に挿入される。管２は、呼吸器を傷つけることを防止するために可撓性素材で形成されている。具体的には、管２は、可撓性を有するシリコンやゴム、樹脂等で形成されている。
【００１５】
管２は、先端を塞ぐように紫外線照射手段５を配置している。すなわち、管２は、接続手段１０で一端を供給手段３と接続することで塞ぎ、先端を紫外線照射手段５で塞いでいる。供給手段３から供給される気体は、送気穴４を介して管２の外部に送気される。
【００１６】
送気穴４は、呼吸器に挿入される管２の先端側に無数に設けられている。送気穴４は、管２の内部から管２の表面に貫通して形成される微小径の穴である。具体的には、微小径の穴は、気体に圧力を加えた際に気体が管２の内部から外部に向かって噴射される程度の径の穴である。このように送気穴４を形成することで、消毒装置１の使用者が気体を体内に供給したいとき以外は無為に気体が流出することを防ぐことができる。また、送気穴４が微小径の穴であることで、気体を供給する際、気体に圧力をかけて体内に噴射させることができる。
【００１７】
紫外線照射手段５は、紫外線を照射することができるＬＥＤ（Light Emitting Diode）５０と、ＬＥＤ５０に電源を供給する電源供給部５１と、ＬＥＤ５０と電源供給部５１とを接続する配線５２と、を備える。
ＬＥＤ５０は、管２の先端に配置され設けられている。ＬＥＤ５０と管２の先端とは、透明な樹脂６で接続されている。具体的には、透明な樹脂６は、ＬＥＤ５０と管２との接続部分を含めて全体覆うようにコーティングしている。これにより、管２の先端は、ＬＥＤ５０により塞がれている。
【００１８】
電源供給部５１は、管２の一端側の側面に設けられている。電源供給部５１には、図示しないボタン電池が用いられ、スイッチを操作することで、ＬＥＤ５０に電源を供給する。配線５２は、管２の内壁に沿わせて配置されている。なお、配線５２は、管２の内部ではなく、外部にあってもよいし、管２の側面にあらかじめ埋め込まれていてもよい。
【００１９】
接続手段１０は、プラスチック樹脂等で形成され、管２側の接続手段１１と、供給手段３側の接続手段１２と、を有する。管２側の接続手段１１と供給手段３側の接続手段１２とは、一方を回転させることで互いに接続できるようにネジ山およびネジ溝が形成されている。このようにネジ式の接続手段１０で管２と供給手段３とを接続することで、管２と供給手段３とを密着させ、供給手段３から供給される気体が流出することを防ぐことができる。なお、接続手段１０は、管２と供給手段３とを他の方法で接続してもよい。例えば、接続手段１０は、供給手段３に対して管２を嵌め込むことができる構造を有して構成されていてもよいし、熱を加えることで着脱可能となる接着剤などであってもよい。すなわち、接続手段１０は、管２と供給手段３とを着脱可能に接続することができればどのようなものであってもよい。
【００２０】
供給手段３は、内部に気体を充填することができる容器部３０と、容器部３０から管２へ気体を供給する供給穴３１と、を有する。容器部３０は、容器部３０の外部から気体を充填するための充填穴３２を有する。充填穴３２は、虫ゴム３３で塞がれている。虫ゴム３３は、充填穴３２から容器部３０に気体を充填した後、気体が逆流して流出することを防ぐゴム栓である。容器部３０は、ある程度の圧力で気体が充填されてもよいように弾性を有する袋状のシリコンゴムで形成されている。
【００２１】
供給穴３１は、容器部３０において充填穴３２とは異なる位置に設けられている。供給穴３１は、容器部３０に充填された気体が流出しないように図示しない弁を有する。供給穴３１の弁は、所定の圧力をかけることで開口し、容器部３０の外部、具体的には管２に気体を供給する。本実施形態では、気体が充填されて膨らんだ袋状のシリコンゴムである容器部３０を使用者の手で押したり握ったりすることで収縮させて圧力をかけることで充填された気体を供給穴３１から管２を介して体内に供給する。
【００２２】
本実施形態では、供給手段３の容器部３０に充填される気体は、高濃度の酸素である。高濃度の酸素は、例えばウイルスを消毒する効果を有するとされる。また、例えば新型コロナウイルス感染症においては、血中酸素濃度の低下により急激に重症化したり急死する事例があるため、体外から効率的に酸素供給ができることが望まれる。このような観点から、供給手段３の容器部３０に充填される気体は、高濃度の酸素であることが好ましい。なお、供給手段３の容器部３０に充填される気体は、高濃度の酸素でなくてもよく、気体状の薬品であってもよい。すなわち、供給手段３の容器部３０に充填される気体は、使用者の任意の気体を採用することができる。
【００２３】
図２は、消毒装置１の使用方法を示す図である。具体的には、図２（Ａ）は、供給手段３に気体を充填している図であり、紫外線照射手段５が消灯している図である。また、図２（Ｂ）は、管２を介して供給手段３に充填された気体を体内に供給している図であり、紫外線照射手段５が点灯している図である。以下、図２を用いて消毒装置１の使用方法を説明する。なお、図２では、気体の充填や使用者等により力がかかる方向を矢印にて表している。
【００２４】
先ず、消毒装置１の使用者は、図２（Ａ）に示すように、充填穴３２から気体である高濃度の酸素を充填する。使用者は、充填した気体の流出を防ぐために、気体の充填後、虫ゴム３３で充填穴３２を塞ぐ。次に、使用者は、管２の先端を呼吸器に挿入する。使用者は、管２の呼吸器への挿入前、もしくは、挿入後など、任意のタイミングで電源供給部５１のスイッチを操作しＬＥＤ５０を点灯させ紫外線照射手段５を使用できるようにする。
【００２５】
紫外線照射手段５を先端に有する管２を呼吸器の所定の位置まで挿入した後、図２（Ｂ）に示すように、使用者は、供給手段３の容器部３０を握り、図中の矢印方向に容器部３０に圧力をかけて収縮させる。容器部３０に圧力をかけることで図示しない供給穴３１の弁が開口する。容器部３０に充填された気体は、管２の送気穴４から呼吸器に送気される。また、紫外線照射手段５が点灯しているため、使用者は、管２を動かすことで呼吸器の所定の位置に紫外線を照射する。
このように消毒装置１を用いることで、使用者は、体内を消毒することができる。
【００２６】
このような本実施形態によれば、以下の作用・効果を奏することができる。
（１）消毒装置１は、人体に挿入される管２と、管２の一端と接続し管２を介して気体を供給する供給手段３と、を備えるため、供給手段３から管２を介して体内に例えば高濃度の酸素を供給することで、体内を消毒することができる。
（２）管２は、紫外線照射手段５を備えるため、紫外線の照射により体内を消毒することができる。
（３）消毒装置１は、管２と供給手段３とにより構成されるため、医療機器である内視鏡よりも簡易的な構造である。したがって、消毒装置１は、簡易的な構造であっても効率的に体内を消毒することができる。
【００２７】
（４）管２および供給手段３は、接続手段１０を備えることで、使用後に供給手段３から管２を取り外すことができる。これにより、消毒装置１は、管２の内部を含めて殺菌消毒をすることができる。
（５）管２および供給手段３は、接続手段１０を備えることで、使用後に殺菌消毒された新たな管２に簡単に交換することができる。このため、使用後に都度、殺菌消毒をしなくとも安全に体内の消毒をすることができる。
【００２８】
〔実施形態の変形〕
なお、本考案は前記実施形態に限定されるものではなく、本考案の目的を達成できる範囲での変形、改良等は本考案に含まれるものである。
例えば、前記実施形態では、紫外線照射手段５は、紫外線を照射することができるＬＥＤ５０を採用していたが、紫外線照射手段は、ＬＥＤでなくてもよく、紫外線を照射することができればどのようなものを採用してもよい。
【００２９】
前記実施形態では、管２は、先端を塞ぐように紫外線照射手段５を配置していたが、管は、紫外線照射手段を先端に配置しなくてもよい。例えば、管が透明である場合は、管の内部に紫外線照射手段を配置してもよいし、管の外部に紫外線照射手段を配置してもよい。また、前記実施形態では、管２は、紫外線照射手段５を１つだけ備えていたが、管は、紫外線照射手段をいくつ備えていてもよい。また、ＬＥＤ５０は、管２との接続部分を含めて全体覆うように透明な樹脂６でコーティングされていたが、その他の方法で管に設けられていてもよい。また、管２の先端部は、ＬＥＤ５０と透明な樹脂６により塞がれていたが、管の内部にＬＥＤを配置する場合は、管の先端は、接着剤等により塞がれていてもよい。また、管の先端は、塞がれていなくてもよい。
【００３０】
電源供給部５１は、管２の一端側の側面に設けられて、図示しないボタン電池が用いられていたが、紫外線照射手段の電源は、電池でなくてもよく、例えば外部電源など、他の方法で電源供給がされてもよい。また、電源供給部は、紫外線照射手段のＬＥＤとともに管の先端に設けられていてもよい。
また、前記実施形態では、紫外線照射手段５のＬＥＤ５０は、スイッチが操作されることで点灯していたが、スイッチ以外の方法にて点灯させてもよい。例えば、紫外線の照射量を調節できるようにボリュームを操作することでＬＥＤを点灯または消灯させてもよいし、非接触である例えば音声でＬＥＤが点灯または消灯するようにしてもよい。また、配線を備えずに、無線にてＬＥＤの点灯または消灯を操作してもよい。
【００３１】
前記実施形態では、送気穴４は、管２の先端側に無数に設けられ、微小径の穴として形成されていたが、無数の微小径の穴ではなく、単なる切込みであってもよいし、所定の大きさを有する例えば三角形や楕円の穴が１つだけ設けられていてもよい。また、送気穴は、管の全体に設けられていてもよいし、管の先端にのみ設けられていてもよい。
要するに、管は、供給手段から供給される気体を管の外部に送気する送気穴と、紫外線を照射する紫外線照射手段と、を備えていればよい。
前記実施形態では、消毒装置１は、接続手段１０を備えていたが、消毒装置は、接続手段を備えていなくてもよい。具体的には、管と供給手段とは、着脱できなくともよい。
【００３２】
前記実施形態では、容器部３０に気体を充填した後、充填穴３２を虫ゴム３３で塞いでいたが、虫ゴム３３を備えず、レギュレータ等を有する気体供給源を充填穴３２に常時接続し、容器部３０内の気体が管２へ供給される度に、気体供給源から容器部３０の気体が一定となるように気体が供給されるようにしてもよい。
また、前記実施形態では、供給手段３は、容器部３０と供給穴３１と充填穴３２とを備えていたが、供給手段はこれらを備えていなくてもよい。例えば、供給手段は、エアーコンプレッサーやスプレー缶等であってもよい。
要するに、消毒装置は、人体に挿入される管と、管の一端と接続し管を介して気体を供給する供給手段と、を備えていればよい。
【産業上の利用可能性】
【００３３】
以上のように、本考案は、主に人体の呼吸器に挿入することで体内を消毒する消毒装置に広く適用できる。
【符号の説明】
【００３４】
１        消毒装置
２        管
３        供給手段
４        送気穴
５        紫外線照射手段
【図１】
0003231158.tif 000003
【図２】
0003231158.tif 000004
【手続補正書】
【提出日】令和2年12月18日(2020.12.18)
【手続補正１】
【補正対象書類名】実用新案登録請求の範囲
【補正対象項目名】全文
【補正方法】変更
【補正の内容】
【実用新案登録請求の範囲】
【請求項１】
人体に挿入される管と、前記管の一端と接続し前記管を介して気体を供給する供給手段と、を備え、
前記管は、
前記供給手段から供給される気体を前記管の外部に送気する送気穴と、
紫外線を照射する紫外線照射手段と、を備え、
前記送気穴は、
前記管の内部から前記管の表面に貫通して形成され、
前記紫外線照射手段は、
前記管の先端と、前記管の内部と、前記管の外部と、の少なくともいずれか一か所に配置されていることを特徴とする消毒装置。
【請求項２】
請求項１に記載された消毒装置において、
前記管および前記供給手段は、互いを着脱可能に接続する接続手段を備えることを特徴とする消毒装置。
【手続補正２】
【補正対象書類名】明細書
【補正対象項目名】０００６
【補正方法】変更
【補正の内容】
【０００６】
本考案の消毒装置は、人体に挿入される管と、管の一端と接続し管を介して気体を供給する供給手段と、を備える。管は、供給手段から供給される気体を管の外部に送気する送気穴と、紫外線を照射する紫外線照射手段と、を備える。送気穴は、管の内部から管の表面に貫通して形成されている。紫外線照射手段は、管の先端と、管の内部と、管の外部と、の少なくともいずれか一か所に配置されていることを特徴とする。